(57)【要約】【課題】梱包箱の内部に収納される個々の樋支持具の傷付きを防止できるうえ、収納された樋支持具が梱包箱を突き破る危険もなく、しかも、樋支持具の所定数を簡単且つ確実に確認できる樋支持具の梱包収束具を提供する。【解決手段】雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、梱包箱の内部に収束して収納するための梱包収束具Ａであって、シート状に形成された梱包シート体１の両端に各々係止部２、３を形成してなり、上記係止部２、３の一方を、複数並設された樋支持具Ｔの先端側又は基端側に係止すると共に、上記梱包シート体１をこれら樋支持具Ｔの上面又は下面に被覆させ、前記係止部２、３の他方を、樋支持具の基端側又は先端側に係止して、複数の樋支持具Ｔを収束可能にする。【選択図】図１
2006282249.tif 000002
【特許請求の範囲】
【請求項１】
雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、
シート状に形成された梱包シート体の両端に各々係止部を形成してなり、
上記係止部の一方を、複数並設された樋支持具の先端側又は基端側に係止すると共に、上記梱包シート体をこれら樋支持具の上面又は下面に被覆させ、前記係止部の他方を、樋支持具の基端側又は先端側に係止して、複数の樋支持具を収束可能にしたことを特徴とする樋支持具の梱包収束具。
【請求項２】
請求項１において、
係止部は、前耳掛止部及び後耳掛止部に係止される構造にしたことを特徴とする樋支持具の梱包収束具。
【請求項３】
請求項１又は２の何れかにおいて、
係止部の端縁が、鋸歯状に形成されたことを特徴とする樋支持具の梱包収束具。
【請求項４】
請求項１〜３の何れかにおいて、
梱包シート体の側方に向けて延設された落下防止片を形成したことを特徴とする樋支持具の梱包収束具。
【請求項５】
請求項４において、
落下防止片には、互いに係止される係止機構を設けてなり、収束された複数の樋支持具を一巻廻して、前記係止機構により両端が連結される構造にしたことを特徴とする樋支持具の梱包収束具。
【請求項６】
請求項１〜５の何れかにおいて、
梱包収束具は、梱包箱に反転して収納可能な形状に形成されていることを特徴とする樋支持具の梱包収束具。
【請求項７】
請求項１〜６の何れかにおいて、
梱包収束具は、焼却処理しても無害な可燃性材料で形成されていることを特徴とする樋支持具の梱包収束具。
【請求項８】
請求項１〜７の何れかにおいて、
梱包収束具に取手部を設けたことを特徴とする樋支持具の梱包収束具。
【発明の詳細な説明】
【技術分野】
【０００１】
本発明は、ダンボール箱などの梱包箱の内部に樋支持具を収束して収納するための梱包収束具に関する。
【背景技術】
【０００２】
一般に、樋支持具を目的地に輸送等する際には、例えば、ダンボール箱などの梱包箱の内部に、所定数の前記樋支持具をランダムに収納したうえで、前記梱包箱をテープなどで封止し、これらの梱包箱を箱積みして既存の輸送手段で輸送する。
【０００３】
そして、目的地に輸送された後には、上記テープを剥がして梱包箱を開放し、内部に収納された樋支持具を必要数だけ取り出して、作業現場等で使用するのである。
【０００４】
なお、樋支持具を束ねるようなものは、従来にはなかった。
【発明の開示】
【発明が解決しようとする課題】
【０００５】
しかしながら、樋支持具を目的地に輸送等する場合には以下の問題があった。
【０００６】
先ず、梱包箱の内部では、梱包箱の積込み、積降し作業時や、輸送中の振動等によって、樋支持具同士がぶつかり合って樋支持具を傷付けてしまう問題がある。
【０００７】
一方、上記問題は、樋支持具を個別に包装すれば解消できるが、数十個〜数百個単位で１つの梱包箱に収納される樋支持具を個別に包装すれば、包装作業に手間を要するうえ、コストが増すため、採用することはできない。
【０００８】
次に、梱包箱の積込み、積降し作業時や、輸送中の振動等などによって、内部に収納されている樋支持具が、前記梱包箱を突き破ってしまう恐れがあり、危険であるという問題がある。
【０００９】
そこで、上記梱包箱に収納される所定数の樋支持具を、小さなダンボール箱或いは小袋に小分けして一旦収納し、これら小箱、小袋を上記梱包箱に複数収納することで、いわば２重構造にしたうえで、輸送等を行うことも考えた。
【００１０】
しかし、このような２重構造では、梱包箱を突き破る恐れを解消できるものの、依然として上記の樋支持具を傷付けてしまう問題を解決することはできなかった。
【００１１】
更に、梱包箱の内部に収納されている樋支持具の有無、或いは、残数等を容易に確認できないという問題もある。
【００１２】
この問題は、輸送後の目的地、作業現場で樋支持具の所定数を確認する場合だけでなく、梱包箱の内部に樋支持具を収納するメーカー側でも同様に生じ得る。
【００１３】
すなわち、梱包箱の内部に収納される樋支持具の所定数は、一般に数十個〜数百個単位であり、このような大量な樋支持具の所定数を一々確認することは手間が多いうえ、数の間違いも生じ易く、非常に困難であった。
【００１４】
そのため、梱包箱内部に収納されている樋支持具の所定数を、簡単に確認できる手段が要望されている。
【００１５】
本発明は、これらの課題を一気に解決することを目的として新規に創作したもので、梱包箱の内部に収納される個々の樋支持具の傷付きを防止できるうえ、収納された樋支持具が梱包箱を突き破る危険もなく、しかも、収納される樋支持具の所定数を簡単且つ確実に確認できる樋支持具の梱包収束具を提供する。
【課題を解決するための手段】
【００１６】
上記目的を達成するため、
請求項１に係る樋支持具の梱包収束具は、雨樋の前耳及び後耳を各々掛止する前耳掛止部及び後耳掛止部を備えた樋支持具本体と、この樋支持具本体を軒先等に固定するための取付杆とを備えてなる樋支持具を、梱包箱の内部に収束して収納するための梱包収束具であって、シート状に形成された梱包シート体の両端に各々係止部を形成してなり、上記係止部の一方を、複数並設された樋支持具の先端側又は基端側に係止すると共に、上記梱包シート体をこれら樋支持具の上面又は下面に被覆させ、前記係止部の他方を、樋支持具の基端側又は先端側に係止して、複数の樋支持具を収束可能にしたことを特徴とする。
【００１７】
請求項２に係る樋支持具の梱包収束具は、請求項１において、係止部は、前耳掛止部及び後耳掛止部に係止される構造にしたことを特徴とする。
【００１８】
請求項３に係る樋支持具の梱包収束具は、請求項１又は２の何れかにおいて、係止部の端縁が、鋸歯状に形成されたことを特徴とする。
【００１９】
請求項４に係る樋支持具の梱包収束具は、請求項１〜３の何れかにおいて、梱包シートの側方に向けて延設された落下防止片を形成したことを特徴とする。
【００２０】
請求項５に係る樋支持具の梱包収束具は、請求項４において、落下防止片には、互いに係止される係止機構を設けてなり、収束された複数の樋支持具を一巻廻して、前記係止機構により両端が連結される構造にしたことを特徴とする。
【００２１】
請求項６に係る樋支持具の梱包収束具は、請求項１〜５の何れかにおいて、梱包収束具が梱包箱に反転して収納可能な形状に形成されていることを特徴とする。
【００２２】
請求項７に係る樋支持具の梱包収束具は、請求項１〜６の何れかにおいて、梱包収束具が焼却処理しても無害な可燃性材料で形成されていることを特徴とする。
【００２３】
請求項８に係る樋支持具の梱包収束具は、請求項１〜７の何れかにおいて、梱包収束具に取手部を設けたことを特徴とする。
【発明の効果】
【００２４】
本発明によれば、次のような効果がある。
請求項１に係る樋支持具の梱包収束具によれば、樋支持具は、その先端側又は基端側に係止部の一方を係止すると共に、梱包シート体をこれら樋支持具の上面又は下面に被覆させたうえで、係止部の他方を、樋支持具の基端側又は先端側に係止して整列されるため、梱包箱の積込み、積降し作業時や、輸送中の振動等によって、樋支持具同士がぶつかり合って傷付くことを防止できると共に、収納された樋支持具が梱包箱を突き破る危険も防止できる。
【００２５】
また、梱包シート体で梱包可能な樋支持具の数量が特定されるため、梱包箱内部に収納されている梱包収束具の数を数えるだけで、梱包箱内部に収納されている樋支持具の所定数を、簡単に計数できる。
【００２６】
更に、梱包シート体は、樋支持具の上面又は下面に被覆されているだけなので、樋支持具の一部を外部から容易に目視でき、樋支持具の所定数を目視によって確実に確認できる。
【００２７】
請求項２に係る樋支持具の梱包収束具によれば、係止部は、前耳掛止部及び後耳掛止部に係止されるので、雨樋の前耳及び後耳を掛止するのと同様に、梱包シート体を確実に係止して、梱包箱の積込み、積降し作業時や、輸送中の振動等による梱包シート体の外れを確実に防止できる。
【００２８】
請求項３に係る樋支持具の梱包収束具によれば、係止部の端縁が鋸歯状に形成されているので、樋支持具の基端側又は先端側の係止する部位に差し込みを容易にできる。
【００２９】
請求項４に係る樋支持具の梱包収束具によれば、梱包シートの側方に向けて延設された落下防止片を形成しているので、両側端に位置された樋支持具が、側方に抜け外れることを防止できる。
【００３０】
請求項５に係る樋支持具の梱包収束具によれば、落下防止片の各端部には、互いに係止される係止機構を設けて連結される構造にしているので、両側端に位置された樋支持具が、側方に抜け外れることを確実に防止できる。
【００３１】
請求項６に係る樋支持具の梱包収束具によれば、梱包収束具は、梱包箱に反転して収納可能な形状に形成しているので、梱包箱の内部に梱包収束具を密な状態で無駄なく収納でき、梱包箱の積込み、積降し作業時や、輸送中の振動等による梱包収束具のガタツキが防止できるうえ、梱包箱を小型化できる。
【００３２】
請求項７に係る樋支持具の梱包収束具によれば、梱包収束具は、焼却処理しても無害な可燃性材料で形成しているので、樋支持具を使用した後に不要となった上記梱包収束具を、作業現場等で安全に焼却処理できる。
【００３３】
請求項８に係る樋支持具の梱包収束具によれば、梱包収束具に取手部を設けているので、複数の樋支持具が収納された梱包収束具を簡単に持ち運ぶことができ、例えば、高所にある作業現場などに複数の樋支持具を簡単且つ安全に持ち運ぶことができる。
【発明を実施するための最良の形態】
【００３４】
以下、本発明に係る樋支持具の梱包収束具Ａを図面とともに説明する。
【実施例１】
【００３５】
図１は、本発明に係る樋支持具の梱包収束具Ａの一実施例を示す使用状態の概略斜視図、図２（ａ）〜（ｄ）は、図１で示した梱包収束具Ａの作用を示した概略動作図である。
【００３６】
この樋支持具Ｔの梱包収束具Ａ（以下、単に「梱包収束具Ａ」と略する。）は、雨樋の前耳及び後耳を各々掛止する前耳掛止部Ｔ１１及び後耳掛止部Ｔ１２を備えた樋支持具本体Ｔ１と、この樋支持具本体Ｔ１を軒先等に固定するための取付杆Ｔ２とを備えてなる樋支持具Ｔを、ダンボール箱等の梱包箱（不図示）の内部に収束して収納するためのものであって、シート状に形成された梱包シート体１の両端に各々係止部２、３を形成してなる。
【００３７】
また、図１、２で示した樋支持具Ｔは、雨樋の出具合をロック部Ｒのロック、アンロック操作によってスライド可能なロックスライド式の樋支持具Ｔを示したものであるが、例えば、固定式の樋支持具Ｔでも同様である。
【００３８】
梱包シート体１は、手指で折り曲げ可能な厚みの１枚のボール紙材などで形成され、この紙材の長手方向の適所に、樋支持具Ｔの形状に応じた折り曲げ部１１を形成している。
【００３９】
また、梱包シート体１は、これを焼却処理しても無害な可燃性材料で形成するのが望ましく、具体的には、再生紙などの紙材を用いて形成すれば、使用後などの不要となった梱包収束具Ａを、作業現場等で焼却処理しても無害且つ安全に廃棄処理できる。
【００４０】
なお、ここでの梱包シート体１は、紙材で形成されたものを示したが、折り曲げ後の形状に保形された薄い樹脂シートでも可能である。
【００４１】
梱包シート体１の後端には、折り曲げて形成された係止部２を形成し、この係止部２は、樋支持具Ｔの先端側又は基端側に係止される。
【００４２】
ここで、先端側又は基端側とは、前耳掛止部Ｔ１１又は後耳掛止部Ｔ１２を含む周辺を意味するが、本実施例では、後耳掛止部Ｔ１２に係止される場合を例示しており、この後耳掛止部Ｔ１２に係止される構造にすれば、雨樋の後耳を掛止するのと同様に、梱包シート体１を確実に係止できる。
【００４３】
一方、梱包シート体１の先端には、樋支持具Ｔの先端側に係止される係止部２を形成している。
【００４４】
この係止部３は、勿論、樋支持具Ｔの前耳掛止部Ｔ１１に係止させても構わないが、ここでは、前耳掛止部Ｔ１１以外に係止する一例として、係止部３が、樋支持具本体Ｔ１とロック部Ｒとの間に挿入して係止するものを例示している。そのため、本実施例では、係止部３の端縁を鋸歯状に形成して、樋支持具本体Ｔ１とロック部Ｒとの間に挿入し易くしている。
【００４５】
このように本発明の梱包収束具Ａは、以下の要領で極めて簡易に製造されて、使用される。
【００４６】
先ず、再生紙などの紙材を樋支持具Ｔの形状に合わせた型紙（不図示）に応じて周知の裁断機によって裁断し、山折り或いは谷折りした折り曲げ部１１を形成する。
【００４７】
なお、本実施例では、一方の係止部２は、山折り形成され、他方の係止部３は、平板状のままであるが、これら折り曲げ部１１及び係止部２の折り曲げ方向は、樋支持具Ｔの形状に応じて適宜変更される。
【００４８】
そして、複数並設された樋支持具Ｔ、Ｔの後耳掛止部Ｔ１２に、図中矢印方向に示すように、一方の係止部２を差し込んで、係止する〔図２（ａ）参照〕。
【００４９】
次いで、梱包シート体１を、複数並設された樋支持具Ｔの下面の形状に合わせて折り曲げ部１１で折曲させて、樋支持具Ｔの下面を被覆する〔図２（ｂ）参照〕。
【００５０】
最後に、他方の係止部３を、樋支持具本体Ｔ１とロック部Ｒとの間に挿入して係止すれば、所定数の樋支持具Ｔが収束された梱包収束具Ａを形成できる〔図２（ｃ）参照〕。
【００５１】
更に、本実施例では、梱包シート１の側方に向けて延設された落下防止片４を更に形成しており、この落下防止片４によって両側端に位置された樋支持具Ｔが、側方に抜け外れることを防止できる。
【００５２】
具体的には、本実施例の落下防止片４には、その一部を切り起こして樋支持具Ｔの側面に係止可能な切起片４１を形成しており、この切起片４１を両側端に位置した樋支持具Ｔの適所側面に係止させて、両側の樋支持具Ｔが側方に抜け外れることを防止する〔図２（ｄ）参照〕。
【００５３】
そして、これらの梱包収束具Ａを順次梱包箱（不図示）に収納すれば、この梱包収束具Ａの数を数えるだけで、梱包箱（不図示）の内部に所定数の樋支持具Ｔを簡単且つ確実に収納することができるのである。
【００５４】
また、樋支持具Ｔを収束した際の梱包収束具Ａを、例えば、側面視三角形に形成すれば、梱包箱内に梱包収納具Ａが上、下反転されて積段することで、梱包箱内に梱包収束具Ａを密な状態で無駄なく収納でき、梱包箱の積込み、積降し作業時や、輸送中の振動等による梱包収束具Ａのガタツキが防止できるうえ、梱包箱を小型化できる。
【００５５】
このように、本発明の梱包収束具Ａによれば、樋支持具Ｔは、梱包シート体１で被覆されて同方向に整列され、梱包箱（不図示）に収納したときには、樋支持具Ｔは、梱包シート体１及び梱包箱（不図示）による二重構造で保護されるため、梱包箱の積込み、積降し作業時や、輸送中などに樋支持具Ｔ同士がぶつかり合って樋支持具Ｔが傷付くことを防止できる。
【００５６】
また、梱包シート体１で梱包可能な樋支持具Ｔの数量が特定されるため、梱包箱内部に収納されている梱包収束具Ａを数えるだけで、収納された樋支持具Ｔの所定数を簡単且つ確実に計数できる。
【００５７】
また、梱包シート体１の両端の係止部２、３は、一方の係止部２が後耳掛止部Ｔ１２に係止され、他方の係止部３が樋支持具Ｔの基端側、即ち、樋支持具本体Ｔ１とロック部Ｒとの間に係止されているので、梱包箱の積込み、積降し作業時や、輸送中の振動等による梱包シート体１の外れを防止できる。
【００５８】
更に、梱包シート１の側方に向けて延設された落下防止片４を形成すれば、両側端に位置された樋支持具Ｔが側方に抜け外れることを防止でき、梱包箱の積込み、積降し作業時や、輸送中の振動等による梱包シート体１の外れを確実に防止できる。
【００５９】
しかも、使用後の梱包収束具Ａは、これを焼却処理しても無害な可燃性材料で形成しているので、不要となった梱包収束具Ａを、作業現場等で焼却処理しても無害且つ安全に廃棄処理できる。
【実施例２】
【００６０】
図３は、本発明の落下防止片４の他の係止構造Ｋを示した使用状態の概略斜視図である。
【００６１】
なお、図１、２と共通する部位には、共通の番号を付し、その説明は省略している。
【００６２】
この梱包収束具Ａでは、図１、２で示した落下防止片４には、互いに係止される係止機構Ｋを設けてなり、収束された複数の樋支持具Ｔを一巻廻して、係止機構Ｋにより両端が連結される構造にした点に特徴がある。
【００６３】
ここでの係止機構Ｋは、一方の落下防止片４が、梱包シート体１と略同じ長さに側方に延設された延設カバー片４２を形成し、この延設カバー片４２の先端に爪片４３を形成すると共に、この爪片４３を係止する切込孔４４を、他方の落下防止片４に形成したものを示している。
【００６４】
本実施例の梱包収束具Ａによれば、梱包シート１の側方に向けて延設された延設カバー片４２が、収束された複数の樋支持具Ｔを一巻廻したうえで、延設カバー片４２の爪片４３が切込孔４４に係止される係止機構Ｋを設けているので、両側端に位置された樋支持具Ｔが側方に抜け外れることを確実に阻止して、梱包箱の積込み、積降し作業時や、輸送中の振動等による梱包シート体１の外れをより確実に防止できる。
【実施例３】
【００６５】
図４は、本発明に係る樋支持具の梱包収束具Ａの他の実施例を示す使用状態の概略斜視図である。
【００６６】
なお、図１〜３と共通する部位には、共通の番号を付し、その説明は省略している。
【００６７】
この梱包収束具Ａでは、これを持ち運び可能な取手部５を設けている。
【００６８】
ここで、取手部５は、梱包シート体１を保持できるものであれば良いが、本実施例では、梱包シート体１の幅方向に長い開口を形成したものを例示している。
【００６９】
このような取手部５を形成すれば、これを持って、例えば、高所にある作業現場などに梱包収束具Ａを簡単に持ち運ぶことができるので、複数の樋支持具Ｔを一度に簡単且つ安全に持ち運ぶことができる。
【産業上の利用可能性】
【００７０】
本発明は、梱包箱の内部に収納する樋支持具の梱包収束具として有効に利用することが可能である。
【図面の簡単な説明】
【００７１】
【図１】本発明に係る樋支持具の梱包収束具Ａの一実施例を示す使用状態の概略斜視図である。
【図２】（ａ）〜（ｄ）は、図１で示した梱包収束具Ａの作用を示した概略動作図である。
【図３】本発明の落下防止片の他の係止構造を示した使用状態の概略斜視図である。
【図４】本発明に係る樋支持具の梱包収束具Ａの他の実施例を示す使用状態の概略斜視図である。
【符号の説明】
【００７２】
Ａ      梱包収束具
Ｔ      樋支持具
Ｔ１    樋支持具本体
Ｔ１１  前耳掛止部
Ｔ１２  後耳掛止部
Ｔ２    取付杆
１      梱包シート体
２、３  係止部
４      落下防止片
５      取手部
Ｋ      係止機構
【図１】
2006282249.tif 000003
【図２】
2006282249.tif 000004
【図３】
2006282249.tif 000005
【図４】
2006282249.tif 000006